(57)【特許請求の範囲】
【請求項１】
正面に映像を表示する表示ユニットと、該表示ユニットの周縁部を正面側から取り囲む枠形のフロントキャビネット及び前記表示ユニットの背面側を覆うリアキャビネットとを備え、前記リアキャビネットの一部に前記表示ユニットの駆動基板に接続されたハーネスを外部に引き出す第１引き出し穴が設けてある表示装置において、
前記ハーネスを挿通保持する保持筒と、
該保持筒に周設されたフランジと、
前記表示ユニットの背面に支持され、前記フランジを嵌め込むための嵌め込み部及び前記第１引き出し穴に対応する第２引き出し穴を有する固定部材とを備え、
該固定部材は、前記嵌め込み部の内周面に開口した開口部と、
前記嵌め込み部の縁部を切除した切欠部とを有し、
前記フランジは、縁部に設けられた延設部と、
該延設部に設けられ、前記切欠部に係止する係止部とを有しており、
前記フランジは、前記嵌め込み部への嵌め込みにより前記表示ユニットの背面側に固定され、前記リアキャビネットに正面側から圧着されることを特徴とする表示装置。
【請求項２】
前記リアキャビネットの第１引き出し穴は複数設けられていることを特徴とする請求項１に記載の表示装置。
【請求項３】
請求項１又は請求項２に記載の表示装置と、
テレビジョン放送を受信する受信部とを備え、
前記受信部で受信したテレビジョン放送に基づいて前記表示装置で映像を表示するようにしてあることを特徴とするテレビジョン受信機。
【発明の詳細な説明】
【技術分野】
【０００１】
本発明は、防水構造を設けた表示装置等に関する。
【背景技術】
【０００２】
近年の液晶表示装置等の表示装置は映像を表示する表示ユニットの周縁部を正面側から取り囲む枠型のフロントキャビネットと、フロントキャビネットの背面側を覆う箱型のリアキャビネットと、フロントキャビネットの背面側に設けられ、表示パネルを駆動するための駆動基板と、駆動基板に設けられたコネクタと、コネクタに接続され、外部に延出するハーネスとを備える。
【０００３】
また一般的なリアキャビネットにはハーネスを表示装置の外部に引き出す引き出し穴が設けられているが、風呂場又はプール等に表示装置を設置する場合、引き出し穴から水の浸入を防止するための防水構造をリアキャビネットに設けるときがある。
【０００４】
例えば特許文献１に記載の表示装置は、ハーネスを挿通保持する保持筒と、保持筒の一端部に周設されたフランジとを備え、保持筒を引き出し穴に外嵌し、フランジを引き出し穴の背面側から圧着させることで引き出し穴から水の浸入を防止している。
【先行技術文献】
【特許文献】
【０００５】
【特許文献１】特許第２８７４６９０号公報
【発明の概要】
【発明が解決しようとする課題】
【０００６】
しかし、特許文献１に記載の表示装置は、ハーネスを引き出し穴に通してから駆動基板に設けられたコネクタにハーネスを接続するため、作業員がリアキャビネット及び駆動基板の間に手を入れる必要がある。しかし、リアキャビネット及び駆動基板の間は狭いため、作業員が駆動基板にハーネスを取り付けることが難しいという問題があった。
【０００７】
本発明は斯かる事情に鑑みてなされたものであり、その目的とするところは、駆動基板にハーネスを容易に取り付けることができる表示装置等を提供することにある。
【課題を解決するための手段】
【０００８】
本発明に係る表示装置は、正面に映像を表示する表示ユニットと、該表示ユニットの周縁部を正面側から取り囲む枠形のフロントキャビネット及び前記表示ユニットの背面側を覆うリアキャビネットとを備え、前記リアキャビネットの一部に前記表示ユニットの駆動基板に接続されたハーネスを外部に引き出す第１引き出し穴が設けてある表示装置において、前記ハーネスを挿通保持する保持筒と、該保持筒に周設されたフランジと、前記表示ユニットの背面に支持され、前記フランジを嵌め込むための嵌め込み部及び前記第１引き出し穴に対応する第２引き出し穴を有する固定部材とを備え、該固定部材は、前記嵌め込み部の内周面に開口した開口部と、前記嵌め込み部の縁部を切除した切欠部とを有し、前記フランジは、縁部に設けられた延設部と、該延設部に設けられ、前記切欠部に係止する係止部とを有しており、前記フランジは、前記嵌め込み部への嵌め込みにより前記表示ユニットの背面側に固定され、前記リアキャビネットに正面側から圧着されることを特徴とする。
【００１１】
本発明に係る表示装置は、前記リアキャビネットの第１引き出し穴は複数設けられていることを特徴とする。
【００１２】
本発明に係るテレビジョン受信機は、表示装置と、テレビジョン放送を受信する受信部とを備え、前記受信部で受信したテレビジョン放送に基づいて前記表示装置で映像を表示するようにしてあることを特徴とする。
【発明の効果】
【００１３】
本発明によれば、駆動基板にハーネスを容易に取り付けることができる。
【図面の簡単な説明】
【００１４】
【図１】表示装置の構成の一例を示す正面側斜視図である。
【図２】図１に示す表示装置の構成の一例を示す背面側斜視図である。
【図３】リアキャビネットの構成の一例を示す正面側斜視図である。
【図４】リアキャビネットを外した状態を示す背面側斜視図である。
【図５】保持筒及び固定部材の構成の一例を示す拡大斜視図である。
【図６】ハーネスが挿通する部分の縦断面図である。
【図７】表示装置の構成の一例を示す背面図である。
【図８】固定部材の構成の一例を示す背面図である。
【発明を実施するための形態】
【００１５】
実施の形態１
以下、本発明をその実施の形態を示す図面に基づいて詳述する。以下の説明では各図中の上下、左右を使用する。
【００１６】
図１は表示装置の構成の一例を示す正面側斜視図である。図１に示すように、表示装置は、画像表示面に映像を表示する液晶パネル及び液晶パネルに光を照射するバックライト等で構成される表示ユニット１と、表示ユニット１を収容する箱型のキャビネット（筐体）２とを備える。以下の説明においては、表示ユニット１の画像表示面の側を正面側、他側を背面側とする。
【００１７】
キャビネット２は表示ユニット１の周縁部の正面を取り囲むフロントキャビネット１０と、フロントキャビネット１０の背面を覆うリアキャビネット２０とを備える。
【００１８】
図１に示す表示装置は、キャビネット２の内部に設けたチューナ１１を備えるテレビジョン受信機として構成されている。チューナ１１は後述する駆動基板４に設けられる。チューナ（受信部）１１は図示しないアンテナに接続され、該アンテナを介してテレビジョン放送を受信する。チューナ１１は受信したテレビジョン放送に係るデータを復調し、復調したデータから画像データ及び音声を分離して出力する。表示ユニット１は、チューナ１１が出力した画像データに基づく画像を画像表示面に表示する。
【００１９】
図２は図１に示す表示装置の構成の一例を示す背面側斜視図である。図３はリアキャビネット２０の構成の一例を示す正面側斜視図である。リアキャビネット２０は中央部に設けられた円形断面の第１引き出し穴２０１と、第１引き出し穴２０１の周辺に設けられた４つの貫通孔２０２とを備える。第１引き出し穴２０１には保持筒３が挿通保持されている。
【００２０】
図４はリアキャビネット２０を外した状態を示す背面側斜視図である。リアキャビネット２０の正面側には表示ユニット１を支持するためのシャーシ４１が設けられている。シャーシ４１の右部には駆動基板４が設けられている。駆動基板４には図示しない信号回路が形成されている。信号回路は、信号処理部が出力した映像データに基づく表示駆動信号を出力することで表示ユニット１を駆動する。駆動基板４は信号回路上に設けられたコネクタ９を備える。コネクタ９にはハーネス７の一端が接続されている。ハーネス７の他端は後述する保持筒３を通り、キャビネット２の外部に引き出されている。シャーシ４１の中央部には固定部材５が後述する方法により取り付けられている。
【００２１】
図５は保持筒３及び固定部材５の構成の一例を示す拡大斜視図である。図５Ａは保持筒３の構成の一例を示す拡大斜視図である。図５Ｂは固定部材５の構成の一例を示す拡大斜視図である。図５Ｃは固定部材５に固定された保持筒３の一例を示す拡大斜視図である。図５Ａに示すように保持筒３は折り曲げ可能な素材で構成されており、一端部に周設されたフランジ３１を備える。フランジ３１には縁部分に９０度間隔で４つの延設部３１１が設けられている。なお、延設部３１１は１つでもよい。延設部３１１の厚さはフランジ３１の厚さより薄い。延設部３１１は延設部３１１の一面に延設部３１１の一面に対して垂直な方向に立設する係止部３１２を備える。延設部３１１及び係止部３１２の厚さの合計はフランジ３１の厚さより薄い。
【００２２】
図５Ｂに示すように固定部材５は矩形状をなしており、左下及び右上の角部から延出する延設部５１と、延設部５１の中央部に設けられた貫通孔５１１と、角部に設けられた４つのネジ孔５２と、中央部に設けられた嵌め込み部５３と、嵌め込み部５３の中央部に開口する第２引き出し穴５３０と、嵌め込み部５３の内周面に開口された４つの開口部５３１と、開口部５３１の一端をさらに外側へ切除した切欠部５３２と、切欠部５３２から時計回転方向に離隔した位置に嵌め込み部５３の縁部を切除した切欠部５３３とを備える。
【００２３】
ネジ孔５２の位置は貫通孔２０２の位置に対応する。切欠部５３２の位置及び形状は延設部３１１の位置及び形状に対応する。切欠部５３３の位置及び形状は係止部３１２の位置及び形状に対応する。
【００２４】
保持筒３を固定部材５に固定する固定方法は以下の通りである。図５Ｃに示すように固定部材５は貫通孔５１１を介してシャーシ４１に設けられたネジ孔（図示せず）にネジを螺合することにより固定する。固定部材５は延設部３１１を切欠部５３２に上下左右方向に位置を合わせ、フランジ３１を嵌め込み部５３に嵌め合わせ、右回転により固定部材５と嵌め込み部５３との間に摺動挿入し、係止部３１２を切欠部５３３に係止することで保持筒３を上下左右方向に固定する。
【００２５】
図６はハーネス７が挿通する部分の縦断面図である。ハーネス７は保持筒３に挿通保持され、第２引き出し穴５３０を通して筺体内部に引き出され、コネクタ９に接続される。この場合、まだリアキャビネット２０を取り付けていないため、従来より広い空間でハーネス７をコネクタ９に接続する作業を行うことができる。固定部材５は保持筒３を第１引き出し穴２０１に通して貫通孔２０２とネジ孔５２との位置を合わせ、フランジ３１とリアキャビネット２０との間に緩衝材６を挟み、貫通孔２０２を介してネジ孔５２にネジ８を螺合することにより正面側からリアキャビネット２０に圧着する。なお、第１引き出し穴２０１に挿通したフランジ３１は第１引き出し穴２０１におけるリアキャビネット２０との間の隙間をテープで固定して防水を行ってもよい。
【００２６】
本実施形態によれば、リアキャビネット２０に固定部材５を圧着する前にハーネス７をコネクタ９に接続することができるため、リアキャビネット２０とシャーシ４１との間に手を入れて作業する必要が無く、駆動基板４にハーネス７を容易に取り付けることができる。
【００２７】
本実施形態によれば、貫通孔２０２を介してネジ孔５２にネジ８を螺合し、固定部材５を正面側からリアキャビネット２０に圧着することで、リアキャビネット２０とシャーシ４１との間に手を入れて作業する必要が無く、容易にリアキャビネット２０を固定部材５に取り付けることができる。
【００２８】
本実施形態によれば、係止部３１２を切欠部５３３に係止することで仮固定されるため、さらに容易にリアキャビネット２０を固定部材５に取り付けることができる。
【００２９】
実施の形態２
図７は、表示装置の構成の一例を示す背面図である。リアキャビネット２０の左部及び右部には開口部２０３、２０４が設けられている。駆動基板４は中央部に設けられ、ハーネス７は開口部２０３から外部へ延出している。表示装置は、開口部２０４を覆う蓋部２０５を備える。蓋部２０５は例えば、ゴム樹脂製等の素材で構成されている。なお、本実施形態ではリアキャビネット２０の左部及び右部に開口部２０３、２０４を設けたがこれに限られるものではない。開口部２０３又は２０４はリアキャビネット２０の任意の位置に設けることができる。
【００３０】
本実施形態によれば、複数の開口部２０３、２０４を設けることで配線を延出する位置を容易に変更することができ、ＣＳ（Communications Satellite）放送もしくはＨＤＭＩ（High-Definition Multimedia Interface：登録商標）等のインターフェイスの追加又はレイアウトの変更が容易になる。また、開口部２０３、２０４が左右対称な位置に設けられることで、リアキャビネット２０を１８０度回転させれば、ハーネス７の引き出し位置が変わってもリアキャビネット２０を共通部品として使用することが可能になる。
【００３１】
実施の形態３
図８は、固定部材５の構成の一例を示す背面図である。固定部材５は左上及び右下の角部に設けられた延設部５１と、嵌め込み部５３から上下左右に離隔した位置に設けられたネジ孔５２とを備える。なお、延設部５１及びネジ孔５２の位置はこれに限られない。延設部５１及びネジ孔５２の位置は任意の位置に設けることができ、例えばネジ孔５２はＶＥＳＡ（Video Electronics Standard Association）規格により位置を調節してもよい。
【００３２】
本実施形態によれば、固定部材５はネジ孔５２の位置を増やすことでさらにリアキャビネット２０に強い力で圧着することができる。
【００３３】
本発明に係る表示装置は、正面に映像を表示する表示ユニット１と、該表示ユニット１の周縁部を正面側から取り囲む枠形のフロントキャビネット１０及び前記表示ユニット１の背面側を覆うリアキャビネット２０を有し、前記表示ユニット１及び該表示ユニット１の駆動基板４を収容する筐体２とを備え、前記リアキャビネット２０の一部に前記駆動基板４に接続されたハーネス７を外部に引き出す第１引き出し穴２０１が設けてある表示装置において、前記ハーネス７を挿通保持する保持筒３を備え、該保持筒３は自身に周設されたフランジ３１を備え、前記フランジ３１は、前記表示ユニット１の背面側に固定され、前記リアキャビネット２０に正面側から圧着されることを特徴とする。
【００３４】
本実施形態によれば、リアキャビネット２０に固定部材５を圧着する前にハーネス７をコネクタ９に接続することができるため、リアキャビネット２０とシャーシ４１との間に手を入れて作業する必要が無く、駆動基板４にハーネス７を容易に取り付けることができる。
【００３５】
本発明に係る表示装置は、前記フランジ３１を嵌め込むための嵌め込み部５３を有し、前記第１引き出し穴２０１に対応する前記表示ユニット１の背面における第２引き出し穴５３０に対応する位置に支持された固定部材５を備え、前記リアキャビネット２０は、前記保持筒３に外嵌された前記第１引き出し穴２０１の周縁部を前記固定部材５に固定し、前記固定部材５との間に前記フランジ３１を挟持して取り付けてあることを特徴とする。
【００３６】
本実施形態によれば、貫通孔２０２を介してネジ孔５２にネジ８を螺合し、固定部材５を正面側からリアキャビネット２０に圧着することで、リアキャビネット２０とシャーシ４１との間に手を入れて作業する必要が無く、容易にリアキャビネット２０を固定部材５に取り付けることができる。
【００３７】
本発明に係る表示装置は、前記固定部材５は、前記嵌め込み部５３の内周面に開口した開口部５３１と、前記嵌め込み部５３の縁部を切除した切欠部５３３とを備え、前記フランジ３１は、縁部に設けられた延設部３１１と、該延設部３１１に設けられ、前記切欠部５３３に係止する係止部３１２とを備える。
【００３８】
本実施形態によれば、係止部３１２を切欠部５３３に係止することで仮固定されるため、さらに容易にリアキャビネット２０を固定部材５に取り付けることができる。
【００３９】
本発明に係る表示装置は、前記リアキャビネット２０の第１引き出し穴２０１は複数設けられていることを特徴とする。
【００４０】
本実施形態によれば、複数の開口部２０３、２０４を設けることで配線を延出する位置を容易に変更することができ、ＣＳ放送もしくはＨＤＭＩ等のインターフェイスの追加又はレイアウトの変更が容易になる。また、開口部２０３、２０４が左右対称な位置に設けられることで、リアキャビネット２０を１８０度回転させれば、ハーネス７の引き出し位置が変わってもリアキャビネット２０を共通部品として使用することが可能になる。
【００４１】
本発明に係るテレビジョン受信機は、表示装置と、テレビジョン放送を受信する受信部１１とを備え、前記受信部１１で受信したテレビジョン放送に基づいて前記表示装置で映像を表示するようにしてあることを特徴とする。
【００４２】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００４３】
１  表示ユニット
２  キャビネット（筐体）
３  保持筒
４  駆動基板
５  固定部材
７  ハーネス
１０  フロントキャビネット
１１  チューナ（受信部）
２０  リアキャビネット
３１  フランジ
５３  嵌め込み部
２０１  第１引き出し穴
３１１  延設部
３１２  係止部
５３０  第２引き出し穴
５３１  開口部
５３３  切欠部
【図１】
0006527740.tif 000002
【図２】
0006527740.tif 000003
【図３】
0006527740.tif 000004
【図４】
0006527740.tif 000005
【図５】
0006527740.tif 000006
【図６】
0006527740.tif 000007
【図７】
0006527740.tif 000008
【図８】
0006527740.tif 000009